(57)【要約】【課題】  車室内温度の上昇を極力抑制する車両用放熱装置を提供する。【解決手段】  ルーフパネル３の内面側に吸熱板６とヒートパイプ７の受熱部１１とを配置し、それらにより、ルーフパネル３側から入ってくる熱を遮断すると共に、その熱を吸熱して車室２外に放熱し続ける。また、吸熱板６とヒートパイプ７の受熱部１１の温度を、それらよりも車室２側の温度に比して低くなるようにして、吸熱板６とヒートパイプ７の受熱部１１側から車体内方側への熱移動（対流）を抑制すると共に、その車室２側から吸熱板６とヒートパイプ７の受熱部１１側に向けての熱移動を作り出す。これにより、ルーフパネル３側から車室２内に入り込む熱量自体をかなり少なく抑え込むと共に、ルーフパネル３以外の個所から車室２内に入り込んだ熱をも吸熱する。【選択図】        図４
2008247257.tif 000002
【特許請求の範囲】
【請求項１】
伝熱手段として、作動流体の相変化と毛管現象とを利用することにより、一端側が受熱部として熱を吸熱し他端側が放熱部として熱を放熱するものが備えられ、
前記伝熱手段の受熱部が、車両外面を形成するアウタパネルの内面側に配置され、
前記伝熱手段の放熱部が車室外に配置され、
前記伝熱手段は、該伝熱手段の受熱部の温度が、該伝熱手段の受熱部よりも車室側の温度に比して低くなるように設定されている、
ことを特徴とする車両用放熱装置。
【請求項２】
請求項１において、
前記アウタパネルの内面側に、吸熱板が該アウタパネルを覆うように配置され、
前記吸熱板に前記伝熱手段の受熱部が接続されて、該吸熱板の温度も該吸熱板よりも車室側の温度に比して低くなるよう設定されている、
ことを特徴とする車両用放熱装置。
【請求項３】
請求項２において、
前記吸熱板が、前記アウタパネル内面に対して離間されて、該吸熱板と該アウタパネルとの間に空気層が形成されている、
ことを特徴とする車両用放熱装置。
【請求項４】
請求項３において、
前記吸熱板の外面が、該吸熱板の他の面よりも輻射の反射率が高い面とされている、
ことを特徴とする車両用放熱装置。
【請求項５】
請求項４において、
前記アウタパネルの内面が、該アウタパネルの他の面よりも輻射の吸収率が高い面とされている、
ことを特徴とする車両用放熱装置。
【請求項６】
請求項２において、
前記吸熱板の内面側に、車室を区画するインナパネルが対向するように配置され、
前記吸熱板の内面と前記インナパネルの外面とが一体化されている、
ことを特徴とする車両用放熱装置。
【請求項７】
請求項２において、
前記吸熱板の内面側に、車室を区画するインナパネルが、該吸熱板の内面に対して離間した状態で配置され、
前記吸熱板の内面が、該吸熱板の他の面よりも輻射の吸収率が高い面とされている、
ことを特徴とする車両用放熱装置。
【請求項８】
請求項７において、
前記インナパネルの外面が、該インナパネルの他の面よりも輻射の反射率が高い面とされている、
ことを特徴とする車両用放熱装置。
【請求項９】
請求項８において、
前記吸熱板が、前記アウタパネル内面に対して離間されて、該吸熱板と該アウタパネルとの間に空気層が形成され、
前記吸熱板の外面が、該吸熱板の他の面よりも輻射の反射率が高い面とされ、
前記アウタパネルの内面が、該アウタパネルの他の面よりも輻射の吸収率が高い面とされている、
ことを特徴とする車両用放熱装置。
【請求項１０】
請求項２において、
前記アウタパネルがルーフパネルとされ、
前記伝熱手段の放熱部がフェンダに配置されている、
ことを特徴とする車両用放熱装置。
【請求項１１】
請求項８において、
前記アウタパネルがルーフパネルとされ、
前記インナパネルがトップシーリングとされている、
ことを特徴とする車両用放熱装置。
【請求項１２】
請求項１において、
前記伝熱手段の受熱部自体が、前記アウタパネルの内面を覆うように形成されている、
ことを特徴とする車両用放熱装置。
【発明の詳細な説明】
【技術分野】
【０００１】
本発明は、車室内の熱を放出して車室内を快適にする車両用放熱装置に関する。
【背景技術】
【０００２】
車両用放熱装置には、特許文献１に示すように、車体上部に反射機能を有する手段と、車体下部に放熱機能を有する手段を備えるものが提案されている。これによれば、太陽光の車室内への侵入及び光エネルギの熱エネルギへの変換を阻止して、車体上部から車室内に侵入する熱量を削減できると共に、放熱機能を有する手段を最も温度が低い部分に位置させて車体上部との温度差を最大にすることにより熱エネルギを放出できる。
【特許文献１】特開２００５−１８６６６２号公報
【発明の開示】
【発明が解決しようとする課題】
【０００３】
しかし、上記車両用放熱装置においては、車体上部から車室内に侵入する熱量を削減できるものの、熱は、車体上部から少なからず入り込むことになり、その熱は、対流等を通じて車体下部（放熱機能を有する手段）に向けて移動することになる。この熱移動途中においては、車室内のシート等の多くの搭載部材に熱が蓄熱され、その蓄熱された熱が、再び、車体下部（放熱機能を有する手段）に向けて移動することになり、その際に、熱抵抗（固体と気体との間の境膜伝熱係数等が関与）が生じることになる。このため、車体上部と車体下部との間の温度差を大きくても、それら熱抵抗が作用して、放熱できる熱量（熱移動量）を必ずしも大きくすることができず、これ伴い、車室内温度の上昇を十分に抑制することができない。
【０００４】
本発明は、上記事情を考慮してなされたもので、その技術的課題は、車室内温度の上昇を極力抑制する車両用放熱装置を提供することにある。
【課題を解決するための手段】
【０００５】
前記技術的課題を達成するために本発明（請求項１に係る発明）においては、
伝熱手段として、作動流体の相変化と毛管現象とを利用することにより、一端側が受熱部として熱を吸熱し他端側が放熱部として熱を放熱するものが備えられ、
前記伝熱手段の受熱部が、車両外面を形成するアウタパネルの内面側に配置され、
前記伝熱手段の放熱部が車室外に配置され、
前記伝熱手段は、該伝熱手段の受熱部の温度が、該伝熱手段の受熱部よりも車室側の温度に比して低くなるように設定されている、
ことを特徴とする車両用放熱装置とした構成としてある。
【０００６】
上述の構成により、伝熱手段の受熱部がアウタパネル側から入ってくる熱を遮断すると共に、その熱を吸熱して車室外に放熱し続ける。
また、伝熱手段の受熱部の温度が、該伝熱手段の受熱部よりも車室側の温度に比して低くなるように設定されていることから、伝熱手段の受熱部側から車体内方側への熱移動（対流）を抑制できることは勿論、その車体内方側から伝熱手段の受熱部側に向けての熱移動を作り出すことができる。このため、アウタパネル側から車室内に入り込む熱量自体をかなり少なく抑え込むことができると共に、当該アウタパネル以外の個所から車室内に入り込んだ熱をも吸熱できることになる。
【０００７】
請求項１の好ましい態様として、前記アウタパネルの内面側に、吸熱板が該アウタパネルを覆うように配置され、前記吸熱板に前記伝熱手段の受熱部が接続されて、該吸熱板の温度も該吸熱板よりも車室側の温度に比して低くなるよう設定されている構成を採ることができる（請求項２対応）。この構成により、吸熱板を用いて、アウタパネル全体から車室内に入り込む熱量をかなり少なく抑え込むことができると共に、当該アウタパネル以外の個所から車室内に入り込んだ熱もかなり吸熱できることになる。このため、車室内温度の上昇を十分に抑制することができる。
【０００８】
請求項１の好ましい態様として、前記吸熱板が、前記アウタパネル内面に対して離間されて、該吸熱板と該アウタパネルとの間に空気層が形成されている構成を採ることができる（請求項３対応）。この構成により、アウタパネル側から吸熱板に熱が移動するに際しては、その熱移動（伝熱）の態様は、伝導がなくなって、輻射と対流となり、熱移動の態様に伝導も含まれる場合に比べて熱移動量を少なくできる（空気層を断熱層として利用）。これに伴い、アウタパネル側からの熱移動量の少なくなった分が、吸熱板（伝熱手段）の吸熱負担を軽減させることになり、その軽減分について、吸熱板に車室内の熱を吸熱させることができる。このため、一層、車室内温度の上昇を抑制することができる。
【０００９】
請求項１の好ましい態様として、前記吸熱板の外面が、該吸熱板の他の面よりも輻射の反射率が高い面とされている構成を採ることができる（請求項４対応）。この構成により、アウタパネル側から吸熱板に向けての輻射熱を反射できることになり、この反射に基づき、吸熱板に入り込む熱移動量を少なくできる。このため、この点からも、吸熱板（伝熱手段）の吸熱負担を軽減させて、その軽減分について、吸熱板に車室内の熱を吸熱させることができ、車室内温度の上昇を十分に抑制することができる。
【００１０】
請求項１の好ましい態様として、前記アウタパネルの内面が、該アウタパネルの他の面よりも輻射の吸収率が高い面とされている構成を採ることができる（請求項５対応）。この構成により、吸熱板外面により反射された光が、アウタパネル内面によって再び吸熱板に向けて反射されることを抑制できる。このため、前記請求項４の作用効果を確実に得ることができる。
【００１１】
請求項１の好ましい態様として、前記吸熱板の内面側に、車室を区画するインナパネルが対向するように配置され、前記吸熱板の内面と前記インナパネルの外面とが一体化されている構成を採ることができる（請求項６対応）。この構成により、前記請求項２と同様の作用効果を得つつ、見栄え、作業性、取り扱い性を向上させることができる。
【００１２】
請求項１の好ましい態様として、前記吸熱板の内面側に、車室を区画するインナパネルが、該吸熱板の内面に対して離間した状態で配置され、前記吸熱板の内面が、該吸熱板の他の面よりも輻射の吸収率が高い面とされている構成を採ることができる（請求項７対応）。この構成により、車室内側の熱（特に輻射熱）を吸熱でき、車室内の熱量を減らすことができる。
【００１３】
請求項１の好ましい態様として、前記インナパネルの外面が、該インナパネルの他の面よりも輻射の反射率が高い面とされている構成を採ることができる（請求項８対応）。この構成により、仮に吸熱板から輻射熱がインナパネルに向けて放射されても、それを反射し、車室内側に伝熱されることを抑制できる。
【００１４】
請求項１の好ましい態様として、前記吸熱板が、前記アウタパネル内面に対して離間されて、該吸熱板と該アウタパネルとの間に空気層が形成され、前記吸熱板の外面が、該吸熱板の他の面よりも輻射の反射率が高い面とされ、前記アウタパネルの内面が、該アウタパネルの他の面よりも輻射の吸収率が高い面とされている構成を採ることができる（請求項９対応）。この構成により、前記請求項８の作用効果を得つつ、前記請求項４と５の作用効果を同時に得ることができる。
【００１５】
請求項１の好ましい態様として、アウタパネルがルーフパネルとされ、前記伝熱手段の放熱部がフェンダに配置されている構成を採ることができる（請求項１０対応）。この構成により、車体外から熱が入りやすいルーフパネルにおいても、そのルーフパネルから車室内への熱移動量を極力少なくすることができ、車室内温度の上昇を十分に抑制することができる。
【００１６】
請求項１の好ましい態様として、前記アウタパネルがルーフパネルとされ、前記インナパネルがトップシーリングとされている構成を採ることができる（請求項１１対応）。この構成により、ルーフパネルから車室内へ入り込む熱移動量を極力減らす構造として、最も好ましいものを提供できる。
【００１７】
請求項１の好ましい態様として、前記伝熱手段の受熱部自体が、前記アウタパネルの内面を覆うように形成されている構成を採ることができる（請求項１２対応）。この構成により、吸熱板よりも熱伝導率が高い伝熱手段の受熱部自体を用いることによって、伝熱手段の吸熱性能を高めることができ、一層、車室内への熱移動量を少なくして、車室内温度の上昇を抑制できる。
【発明の効果】
【００１８】
本発明（請求項１に係る発明）によれば、車室内温度の上昇を極力抑制する車両用放熱装置を提供できる。
【発明を実施するための最良の形態】
【００１９】
以下、本発明の実施形態について、図面に基づいて説明する。
図１において、符号１は車両で、その車両１の車室２の上方には、アウタパネルとしてのルーフパネル３が配置されている。このルーフパネル３の内面側（下方側）には、図２に示すようにインナパネルとしてのトップシーリング４が配置され、そのルーフパネル３とトップシーリング４との間に本実施形態に係る放熱装置５が配置されている。
【００２０】
放熱装置５は、基本的には、図３に示すように、吸熱板６と、伝熱手段としての一対のヒートパイプ７とからなる。
前記吸熱板６は、ルーフパネル３とトップシーリング４との間において、ルーフパネル３の内面の大部分を下側から覆うように配置されている。具体的には、吸熱板６は、その板面を上下方向に向けつつ、ルーフパネル３の内面３ａに複数の吊りフック８を用いて吊り下げられており、吸熱板６の外面（上面）６ａとルーフパネル内面３ａとの間には空気層９が形成されると共に、吸熱板６の内面（下面）６ｂとトップシーリング４の外面（上面）４ａとの間に空気層１０が形成されている。本実施形態においては、吸熱板６として、長方形状の銅板が用いられており、その吸熱板６は、その長手方向を車体前後方向に向くように配置されている。
【００２１】
また、本実施形態においては、ルーフパネル３の内面３ａ、吸熱板６の外面６ａ及び内面６ｂ、トップシーリング４の外面４ａに対して塗膜処理が行われている。ルーフパネル内面３ａは、輻射の吸収率が高い面とすべく黒色塗膜面とされ、吸熱板６の外面６ａは、輻射の反射率が高い面とすべく銀色塗膜面とされている。吸熱板６の内面６ｂは、輻射の吸収率が高い面とすべく黒色塗膜面とされ、トップシーリング４の外面４ａは、輻射の反射率が高い面とすべく銀色塗膜面とされている。
【００２２】
前記各ヒートパイプ７は、その軸心延び方向に比較的長く延びており、その各一端側は、図３に示すように、受熱部１１として前記吸熱板６の幅方向（図３中、上下方向）片側にそれぞれ接続され、その各他端側は、放熱部１２として、車体後方に延びて左右各リアフェンダ１３内面に取付けられている。この場合、各ヒートパイプ７の一端側は、受熱部１１として吸熱板６の広い面積から熱を吸熱すべく、吸熱板６の長手方向全長に亘って該吸熱板６に接続されている。勿論、さらに受熱面積を広げたいときには、ヒートパイプ７の一端側において車幅方向内方に延びる複数の分岐部（ヒートパイプ７を構成）を形成したり、複数のフィンを設けたりしてもよい。図３において、符号１４は、各ヒートパイプ７の他端側（放熱部１２）に設けられたフィンで、リアフェンダ１３内面に対する取付け部も有している。
【００２３】
この各ヒートパイプ７は、既知の如く、その管内部に多孔質材料としてのウィックを配置し、その管内部を真空にして水、フロン、エタノール等の作動流体を封入したものとなっている。このため、ヒートパイプ７の一端側としての受熱部１１ないしは吸熱板６に熱を付与すると、その受熱部１１の作動流体（液体状態）が蒸発して、その蒸気は他端側の放熱部１２に移動することになり、その放熱部１２が冷却されると、蒸気はウィック面で凝縮、液化し、その液体は、ウィックの毛管作用で受熱部１１に戻ることなる。
【００２４】
前記各ヒートパイプ７は、その吸熱能力に関し、その各ヒートパイプ７の受熱部１１の温度ないしは吸熱板６の温度が、その吸熱板６等よりも車室２側の温度（車室２内温度、トップシーリング４の温度等）に比して常に相対的に低くなるように設定されている。これは、ルーフパネル３側から車室２内への熱移動量を極力少なくする観点から設定されている。その詳細は後述する。
【００２５】
次に、当該放熱装置５の作用について、図４に基づいて説明する。
車外温度が３０〜４０℃の間であっても、太陽光の輻射熱等によりルーフパネル３の温度は９０℃近くの高温となる。このルーフパネル３から吸熱板６に向けての熱移動を見た場合、輻射については、吸熱板６が車室２内への移動を遮断し、その際、熱エネルギに変換されても、その熱は、各ヒートパイプ７により車室２外に放出される。対流による熱移動に関しては、その移動された熱を吸熱板６が受け止め、その熱は、高い伝熱能力を有する各ヒートパイプ７により車室２外に連続的に放出される。伝導による熱移動に関しては、ルーフパネル３と吸熱板６との間に空気層９が形成されていることから生じない。
したがって、吸熱板６及び各ヒートパイプ７は、ルーフパネル３から入ってくる熱を遮断すると共に、熱を吸熱して、その熱を、伝熱能力の高いヒートパイプ７により車室２外に放出することから、吸熱板６の温度は、ルーフパネル３の温度よりもかなり低くなる。
特に本実施形態においては、上述のように、ルーフパネル３と吸熱板６との間に空気層９を設けて伝導による熱移動を行わないようにしているばかりか、吸熱板６の外面６ａを、輻射の反射率が高い塗膜面とすると共に、ルーフパネル内面３ａを、輻射の吸収率が高い塗膜面として、ルーフパネル３からの輻射を、吸熱板６の外面により反射し、それをルーフパネル内面３ａに吸熱させている（図４中、符号Ｒ１で示す）。このため、吸熱板６への熱移動量は抑えられ、各ヒートパイプ７の吸熱負担は軽減されることになっている。このような結果、本実施形態においては、吸熱板６及びヒートパイプ７の受熱部１１の温度は、５０〜５５℃位になる。
【００２６】
上記吸熱板６及び各ヒートパイプ７の受熱部１１の温度（本実施形態においては５０〜５５℃）は、図４に示すように、その温度がそれよりも車室２側の温度（トップシーリング４の温度（６２℃）、車室２内温度（６３℃））に比して相対的に低くなるように設定されている。吸熱板６及び各ヒートパイプ７の受熱部１１側から車室２側への熱移動（対流）を抑制すると共に、その車室２側から吸熱板６及び各ヒートパイプ７の受熱部１１側に向けての熱移動（対流）を作り出すためである（符号Ｃをもって示す）。これにより、ルーフパネル３側から吸熱板６を経て車室２内に入り込む熱量自体をかなり少なく抑え込むことができると共に、当該ルーフパネル３以外の個所から車室２内に入り込んだ熱をも吸熱できることになる。
【００２７】
またトップシーリング４と吸熱板６との関係に関しては、トップシーリング４の外面４ａが、輻射の反射率が高い面とされていると共に、吸熱板６の内面が、輻射の吸収率が高い面とされていることから、仮に、吸熱板６からトップシーリング４に輻射がなされても、その輻射は反射され、さらには、トップシーリング４からの輻射熱は吸熱板６の内面により吸熱される（図４中、符号Ｒ２をもって示す）。
【００２８】
図５は、通常のルーフ構造の下での熱移動（車室内が高温になる状況）を説明するものである。この構造においては、ルーフパネルが高温になると、そのルーフパネルからインシュレータに向けて輻射及び対流による伝達が行われ、インシュレータは、熱伝達された熱を排出する構造がないことから、ルーフパネルに近い温度に上昇する。続いて、このインシュレータからトップシーリングに伝導による熱伝達が行われ、そのトップシーリングもインシュレータに近い温度となる。このインシュレータから車室内に、主として、対流による熱伝達が行われ、車室内の温度もトップシーリングに近い温度となる。このように、車外から車室内への熱移動を何等抑制しない場合には、車室内温度は、高温状態となり、さらには、その車室内からルーフパネルに向かうに従って各部材の温度が高くなって、ルーフパネルの温度が低くならない限り、そのルーフパネルから車室内に熱が供給され続ける。
【００２９】
以上実施形態について説明したが本発明にあっては、次の態様を包含する。
（１）吸熱板６とヒートパイプ７の受熱部１１の一体構成を、ヒートパイプ７の受熱部１１自体により構成すること。
（２）吸熱板６とトップシーリング４とを積層状態をもって一体化すること。
（３）吸熱板６の内面側にインナパネルとしてのトップシーリング４を、その吸収板の内面に対して離間した状態で配置し、その下で、吸熱板６の内面を、その吸熱板６の他の面よりも輻射の吸収率が高い面とし、トップシーリング４の外面４ａを、トップシーリング４の他の面よりも輻射の反射率が高い面とする一方、吸熱板６をアウタパネル内面としてのルーフパネル内面３ａに対して離間して、吸熱板６とルーフパネル３との間に空気層９を形成すると共に、吸熱板外面６a及びルーフパネル内面３aを輻射に関する機能面としないこと。
【図面の簡単な説明】
【００３０】
【図１】実施形態に係る放熱装置が設けられている車両を示す図。
【図２】実施形態に係る放熱装置がルーフパネル３とトップシーリング４との間に配設されている状態を示す説明図。
【図３】実施形態に放熱装置を平面的に示す図。
【図４】実施形態に係る放熱装置の作用を説明する説明図。
【図５】従来に係る放熱装置の作用を説明する説明図。
【符号の説明】
【００３１】
１  車両
２  車室
３  ルーフパネル（アウタパネル）
３ａルーフパネル内面
４  トップシーリング（インナパネル）
４ａ  トップシーリング外面
５  放熱装置
６  吸熱板
６ａ  吸熱板外面
６ｂ  吸熱板内面
７  ヒートパイプ
９  空気層
１１  ヒートパイプの受熱部
１２  ヒートパイプの放熱部
１３  リアフェンダ
【図１】
2008247257.tif 000003
【図２】
2008247257.tif 000004
【図３】
2008247257.tif 000005
【図４】
2008247257.tif 000006
【図５】
2008247257.tif 000007